(57)【要約】【目的】  携帯物品を携帯するための携帯用部材のフック係着部に、安全ロープなどに備えるフックを２つ係着した場合でも、特に携帯物品を携帯している時、これらフックを安全に係着しておくことができる上記フック係着部の形態を提供できるようにする。【解決手段】  ベルトなどに装着可能な携帯物品の携帯用部材に設けられるフック係着部の形態であって、フック係着部１を横長の通孔にし、携帯用部材が例えばベルト３に装着されたとき、フック係着部１の少なくとも下辺１ａを上方向への湾曲状にする。【選択図】  図１
0003184334.tif 000002
【実用新案登録請求の範囲】
【請求項１】
衣服やベルトなどに装着可能な携帯物品の携帯用部材に設けられるフック係着部の形態であって、フック係着部が横長孔であり、携帯用部材が衣服やベルトなどに装着されたとき、横長孔の少なくとも下辺が上方向に湾曲していることを特徴とする携帯物品の携帯用部材などに設けられるフック係着部の形態。
【請求項２】
上記下辺に、下方向への落込み部が形成されていることを特徴とする請求項１に記載の携帯物品の携帯用部材などに設けられるフック係着部の形態。
【請求項３】
上記落込み部が、横長孔の両端乃至両端近傍に設けられていることを特徴とする請求項２に記載の携帯物品の携帯用部材などに設けられるフック係着部の形態。
【請求項４】
上記フック係着部が、携帯用部材における下寄りの前方折り曲げ部に設けられていることを特徴とする請求項１に記載の携帯物品の携帯用部材などに設けられるフック係着部の形態。
【請求項５】
上記携帯用部材が、巻尺用のものであることを特徴とする請求項１に記載の携帯物品の携帯用部材などに設けられるフック係着部の形態。
【考案の詳細な説明】
【技術分野】
【０００１】
本考案は、携帯物品の携帯用部材に設けられ、落下防止用部材たる安全ロープなどに備えるフックを係着するためのフック係着部の形態に関する。
【背景技術】
【０００２】
従来、高所作業のときは携帯物品たる例えば巻尺や電動工具などの落下を抑止する目的で、携帯物品の携帯者たる作業者と携帯物品とを安全ロープなどを介して連結している。
【０００３】
特に巻尺は携帯用部材と共に用いられることが多いので、巻尺に接続した安全ロープを作業者に接続するときには、安全ロープに備えるフックを、作業者がベルトに装着した携帯用部材の有する通孔に係着している。この通孔は、携帯用部材をベルトに装着した状態で、フックを係着し易いように水平方向の長孔になっていることが多い。
【０００４】
そして、巻尺の他にも安全ロープを接続した携帯物を携帯しなければならなくなった場合は、上述の記携帯用部材の通孔に２つのフックが係着されるので、これらフックは通孔（長孔）内を自由に移動して同孔に係着する他のフックと自由に接触して、一方また両方のフックのロックが開放して安全ロープのフックが通孔から外れることが懸念されていた。
【０００５】
作業者の心理からすると、携帯物品を使用しているときは安全ロープの接続状態を気にかけて携帯用部材の通孔に係着しているフックの状態を注意するが、携帯物品を使用していなく単に携帯しているときは、他の作業などに集中しているので携帯用部材の通孔に係着しているフックの状態には注意が向くことがないということがある。
【０００６】
また、フックのロックを開放してフックを取り外そうとするときに誤って他フックのロックも解放してしまったり、取り外すフックと共に他フックのロックを解放してこれも取り外してしまう恐れも考えられ、携帯物品の落下を抑止する安全ロープの使用目的を考慮すれば、従来の携帯用部材に有する安全ロープのフックを係着するための通孔の形態は不十分なものであった。
【先行技術文献】
【特許文献】
【０００７】
【特許文献１】特開２０１１−１５８３００号公報
【考案の概要】
【考案が解決しようとする課題】
【０００８】
本考案の目的とするところは、携帯用部材のフック係着部に安全ロープなどに備えるフックを２つ係着した場合でも、特に携帯物品を携帯している時、これらフックを安全に係着しておくことができる上記フック係着部の形態を提供できるようにすることにある。
【課題を解決するための手段】
【０００９】
上述した課題を解決するために、本考案に係る携帯物品の携帯用部材に設けられるフック係着部の形態は、衣服やベルトなどに装着可能な携帯物品の携帯用部材に設けられるフック係着部の形態であって、フック係着部が横長孔であり、携帯用部材が衣服やベルトなどに装着されたとき、横長孔の少なくとも下辺が上方向に湾曲していることを特徴とするものである。
【００１０】
また、上記下辺に、下方向への落込み部が形成されていることを特徴とするものである。
【００１１】
また、上記落込み部が、横長孔の両端乃至両端近傍に設けられていることを特徴とするものである。
【００１２】
また、上記フック係着部が、携帯用部材における下寄りの前方折り曲げ部に設けられていることを特徴とするものである。
【００１３】
また、上記携帯用部材が、巻尺用のものであることを特徴とするものである。
【考案の効果】
【００１４】
本考案の携帯物品の携帯用部材に設けられるフック係着部の形態によれば、携帯用部材が衣服やベルトなどに装着されたとき、横長孔の少なくとも下辺が上方向に湾曲しているので、２本の安全ロープのフックを係着しなければならなくなった場合でも、それぞれのフックを横長孔の両端に振り分けて位置させることによって該フックの横長孔内の自由移動を相当に抑制することができ、携帯時におけるフックの接触や絡まりによるロック開放で生じる通孔からのフック外れを大に阻止することができる。
【図面の簡単な説明】
【００１５】
【図１】本考案に係るフック係着部を備える携帯物品の携帯用部材を示す正面図。
【図２】本考案に係るフック係着部を備える携帯物品の携帯用部材の側面図。
【図３】フック係着部の他形態を示す携帯用部材の一部拡大正面図。
【図４】フック係着部の他形態を示す携帯用部材の一部拡大正面図。
【図５】フックを係着した状態を示す携帯用部材の一部拡大正面図。
【図６】フックを係着した状態を示す携帯用部材の一部拡大正面図。
【図７】フック係着部の他形態を示す携帯用部材の一部拡大正面図。
【考案を実施するための形態】
【００１６】
以下、携帯物品の携帯用部材に設けられる本考案のフック係着部の形態を、添付図面に示す具体例に基づいて詳細に説明する。
【００１７】
図１は、本考案のフック係着部を備える携帯物品の携帯用部材で、図中の符号１が、落下防止用部材たる安全ロープなどに備えるフックを係着するための横長孔状のフック係着部で、本図１のように、携帯用部材を作業者などが装着しているベルト２に装着したとき、フック係着部１の下辺１ａが上方向に湾曲するようにしている。
【００１８】
図中の符号３は、作業者などが装着しているベルト２を通す通孔、図中の符号４は、巻尺などの携帯物品を引掛け携帯するためのカラビナである。
【００１９】
図２は、携帯用部材を側面方向から見た図であり、図２中（ａ）は、携帯用部材のベース部５を平坦にしているものを示し、図２中（ｂ）は、携帯用部材のベース部５を、下寄りで前方（カラビナ４が配置される側）に折り曲げ、この折り曲げ部にフック係着部１を設けているものを示している。
【００２０】
図３および図４は、フック係着部１たる横長孔の下辺１ａに、下方向への落込み部６を形成したものを示したものであり、図３は、落込み部６を、フック係着部１たる横長孔の両端に設けたもので、図４は、落込み部６を、フック係着部１たる横長孔の両端とこの間の２箇所に設けたものである。この落込み部６を設けることにより、落込み部６内に位置したフックをより安定的に位置させておくことができる。
【００２１】
上述したフック係着部１の作用を図５にて説明すると、既にフック係着部１に係着され、該フック係着部１たる横長孔の一端（符号Ａ）に寄って位置する安全ロープ７のフック７ａに加え、他の安全ロープ８のフック８ａをフック係着部１に係着しなければならなくなった場合には、上記フック８ａはフック係着部１たる横長孔の他端（符号Ｂ）に係着する。
【００２２】
すなわち、フック係着部１たる横長孔の下辺１ａを上方向に湾曲させているので、それぞれの安全ロープ７、８のフック７ａ、８ａには、長孔の最下位置に滑り落ちて安定しようとする図中の矢印方向への作用が生じるため、フック７ａは長孔の一端（符号Ａ）にまたフック８ａは他端（符号Ｂ）に位置しようとする。
【００２３】
これにより、携帯物品の携帯時におけるフック７ａ、８ａの接触や絡まりによるロック開放で生じるフック係着部１からのフック外れを大に阻止することができる。
【００２４】
また、安全ロープ７または安全ロープ８に接続する携帯物品を使用したときにフック７ａまたはフック８ａが移動した時でも、携帯物品の使用を終えて携帯状態にするときには移動したフックを初期の位置（図中の符号ＡまたはＢ）に戻すことによって該フックは初期の位置に留まる。
【００２５】
そして、図２中（ｂ）のようにフック係着部１をベース部５の折り曲げ部に設けているものは、図６に示すように、フック係着部１が衣服９から離れて位置するので、フック１０をフック係着部１に係着し易くなる。
【００２６】
また、フック係着部１における下辺１ａの上方向への湾曲は、該湾曲の最下部と頂部との間における概ね中間部において、該フック係着部１に係着しているフック１０が図中の符号ＡまたはＢの位置に滑り落ちることができる程度の斜面にするのがよい。
【００２７】
また、フック係着部１における落込み部６は、該落込み部６に入るフック１０が作業者の徒歩移動時に簡単に飛び出さない形態にし、例えば、落込み部６の深度や形状を選定すればよい。
【００２８】
また、フック係着部１の形状も、上述の説明に用いたフック係着部１たる横長孔の全体が湾曲するもの以外に、図７に示すように、下辺１ａの部分だけを上方向に湾曲させてもよい。
【００２９】
また、本実施例で示した携帯用部材は巻尺用のものの一例であるが、勿論、巻尺用のものの他に、落下防止用部材たる安全ロープなどに備えるフックを係着するためのフック係着部を備える工具差しなどの工具携帯具にも十分応用することができる。従って、巻尺用のものには、工具差し用などの携帯用部材も含むものである。
【符号の説明】
【００３０】
１…フック係着部
１ａ…下辺
２…ベルト
３…通孔
４…カラビナ
５…ベース部
６…落込み部
７…安全ロープ
７ａ…フック
８…安全ロープ
８ａ…フック
９…衣服
１０…フック
【図１】
0003184334.tif 000003
【図２】
0003184334.tif 000004
【図３】
0003184334.tif 000005
【図４】
0003184334.tif 000006
【図５】
0003184334.tif 000007
【図６】
0003184334.tif 000008
【図７】
0003184334.tif 000009